(57)【要約】【課題】明るく発光する傘を提供することを目的とする。【解決手段】中棒部３０と、前記中棒部３０に対して開閉可能な複数の親骨部２０と、前記親骨部２０にまたがって設けられる傘生地部２４と、を有する傘１０であって、前記傘生地部２４に対して設けられ光を受けて発光する発光手段４６又は蓄光手段４４と、前記中棒部３０の軸上近傍に設けられる発光源３８と、を含むことを特徴とする。【選択図】      図１
2014213136.tif 000002
【特許請求の範囲】
【請求項１】
中棒部と、
前記中棒部に対して開閉可能な複数の親骨部と、
前記親骨部にまたがって設けられる傘生地部と、
を有する傘であって、
前記傘生地部に対して設けられ光を受けて発光する発光手段又は蓄光手段と、
前記中棒部の軸上近傍に設けられる発光源と、
を含むことを特徴とする傘。
【請求項２】
前記発光源は、前記親骨部が開いたときに前記傘生地部に覆われる部位に位置することを特徴とする請求項１に記載の傘。
【請求項３】
前記親骨部を接続する受骨部と、
前記中棒部の軸上を移動可能に構成され前記受骨部を束ねる下ろくろ部と、
を有し、
前記発光源は、前記下ろくろ部に設けられていることを特徴とする請求項１又は２に記載の傘。
【請求項４】
傘の位置情報を発信可能な発信部を設けたことを特徴とする請求項１乃至３のいずれか１項に記載の傘。
【請求項５】
前記発光源は、紫外線を放射するブラックライトで構成することを特徴とする請求項１乃至４のいずれか１項に記載の傘。
【請求項６】
前記ブラックライトからの紫外線が人体に照射しないための紫外線照射防止部を設けたことを特徴とする請求項５に記載の傘。
【発明の詳細な説明】
【技術分野】
【０００１】
本発明は、発光する傘に関する。
【背景技術】
【０００２】
従来から、暗闇でも傘をさしていることが、第三者から容易に確認できる傘が提案されている。この傘は、傘の柄に設置したスイッチを操作することにより、傘に設置した発光体が点滅する。また、傘の表面（雨よけ）に光を反射する素材、又は蓄光性材料を塗布することにより視覚確認が容易になる。
【先行技術文献】
【特許文献】
【０００３】
【特許文献１】実用新案登録第３０５０３７３号公報
【発明の概要】
【発明が解決しようとする課題】
【０００４】
ところが、上記傘では、発光体が傘の柄の先端部及び骨の先端部に設けられているため、発光体から発散する光が雨よけに効率良く照射せず、雨よけで反射しない問題があった。このため、雨よけに光を反射する反射素材又は蓄光性材料を塗布した構成でも、これらに照射する光量が少ないため、雨よけが明るく発光しない問題があった。
【０００５】
そこで、本発明は、上記問題点に鑑み、明るく発光する傘を提供することを目的とする。
【課題を解決するための手段】
【０００６】
本発明は、中棒部と、前記中棒部に対して開閉可能な複数の親骨部と、前記親骨部にまたがって設けられる傘生地部と、を有する傘であって、前記傘生地部に対して設けられ光を受けて発光する発光手段又は蓄光手段と、前記中棒部の軸上近傍に設けられる発光源と、を含むことを特徴とする。
【０００７】
この場合、前記発光源は、前記親骨部が開いたときに前記傘生地部に覆われる部位に位置することが好ましい。
【０００８】
この場合、前記親骨部を接続する受骨部と、前記中棒部の軸上を移動可能に構成され前記受骨部を束ねる下ろくろ部と、を有し、前記発光源は、前記下ろくろ部に設けられていることが好ましい。
【０００９】
この場合、傘の位置情報を発信可能な発信部を設けたことが好ましい。
【００１０】
この場合、前記発光源は、紫外線を放射するブラックライトで構成することが好ましい。
【００１１】
この場合、前記ブラックライトからの紫外線が人体に照射しないための紫外線照射防止部を設けたことが好ましい。
【発明の効果】
【００１２】
本発明によれば、発光源が発光することにより、傘生地部に設けられた蓄光手段、あるいは発光手段が発光する。これにより、夜間等において、傘生地部全体が発光して暗闇に浮かび上がるように見える。この結果、傘自体が街全体のイルミネーションの一部になり、街を彩り溢れた景色として演出することができる。また、傘をさしている使用者にとってもファッション感覚で発光演出を楽しむことができる。さらに、発光演出する傘を持っていると、雨天時の夜に歩行者の存在を周知に知らせることができるため、交通事故等を未然に防止することができる。
【００１３】
発光源は親骨部が開いたときに傘生地部に覆われる部位（傘生地部の内側）に位置しているため、発光源の光の大部分が傘生地部に照射される。これにより、傘生地部の発光効率を高めることができ、傘生地部を一層明るく発光させることができる。
【００１４】
発光源が下ろくろ部に設けられていることにより、傘の既存の構成要素である下ろくろ部を発光源の取付台として利用することができる。これにより、発光源を取り付けるための機構を別途設ける必要が無くなり、部品点数が増加することを防止することができる。また、傘を閉じたときに、発光源が、閉じようとする傘生地部に干渉することがなく、傘の閉動作を円滑に行うことができる。
【００１５】
傘の位置情報を発信可能な発信部を設けているため、傘をどこかで置き忘れても、傘の位置情報を入手することが可能になる。これにより、傘の所在を特定することができる。なお、身近なスマートフォンやパソコン等に、傘の位置情報を受信できるように設定しておくことが好ましい。
【００１６】
発光源が紫外線を放射するブラックライトで構成することにより、傘生地部における発光度を高めることができる。
【００１７】
ブラックライトからの紫外線が人体に照射しないための紫外線照射防止部を設けたことにより、人体への紫外線の影響を小さくすることができる。
【図面の簡単な説明】
【００１８】
【図１】本発明の一実施形態に係る傘の構成を示した図である。
【図２】本発明の一実施形態に係る傘の第１変形例の構成を示した図である。
【図３】本発明の一実施形態に係る傘の第２変形例の構成を示した図である。
【図４】本発明の一実施形態に係る傘の制御系の構成を示した図である。
【図５】本発明の一実施形態に係る傘の手元部の内部構成の一例を示した図である。
【発明を実施するための形態】
【００１９】
次に、本発明の一実施形態に係る傘について、図面を参照して説明する。
【００２０】
図１に示すように、傘１０は、主として、石突部１２と、上ろくろ部１４と、下ろくろ部１６と、止めびょう部１８と、親骨部２０と、受骨部２２と、傘生地部２４と、だぼ部２６と、露先部２８と、中棒部３０と、手元部３２と、上はじき部３４と、下はじき部３６と、発光源３８と、バッテリー部４０と、スイッチ部４２と、を含む。
【００２１】
石突部１２は、中棒部３０の先端部分にあるパーツである。石突部１２は、キャップとも呼ばれる。
【００２２】
上ろくろ部１４は、親骨部２０を束ねる機能を有し、中棒部３０と親骨部２０とのジョイント部品である。上ろくろ部１４は、ノッチとも呼ばれる。
【００２３】
下ろくろ部１６は、受骨部２２を束ねる機能を有し、中棒部３０と受骨部２２とのジョイント部品である。下ろくろ部１６は、ランナーとも呼ばれる。下ろくろ部１６は、中棒部３０を軸方向（上下方向）にスライドして傘１０の開閉動作を実行する。
【００２４】
止めびょう部１８は、開傘時に下ろくろ部１６を上側から固定する部品である。止めびょう部１８は、ストッパーとも呼ばれる。
【００２５】
親骨部２０は、傘１０が開いた時に傘生地部２４を支える部品である。親骨部２０の素材は、鉄、グラスファイバー、カーボンファイバー、またそれらを組み合わせたものがある。
【００２６】
受骨部２２は、下ろくろ部１６とだぼ部２６とを接続する支持骨である。受骨部２２は、ストレッチャーとも呼ばれる。
【００２７】
傘生地部２４は、各親骨部２０にまたがって設けられ各親骨部２０を覆う布状の雨よけ部である。傘生地部２４の素材として、例えば、透明又は半透明のビニール、透明又は半透明ではないビニール、布、発光するゴム（例えば、白系の発光ゴム）等を採用できる。ビニールとして、例えば、ポリエチレン等がある。なお、発光ゴムとは、紫外線を照射すると発光する素材のゴムであり、例えば、北星ゴム工業株式会社の発光ゴムを発光ゴムの一例として使用することができる。
【００２８】
傘生地部２４の少なくとも内側面には、光を受けて蓄光・発光する蓄光手段４４又は光を受けて発光する発光手段４６が設けられている。外部の発光源（例えば、街灯や自動車のライト等）を利用する場合には、傘生地部２４の外側面に光を受けて蓄光・発光する蓄光手段４４又は光を受けて発光する発光手段４６が設けられていてもよい。
【００２９】
蓄光手段４４とは、ブラックライト、太陽光、蛍光灯などの光エネルギー (紫外線)を吸収して、暗闇で、徐々に光を放出する蓄光塗料（夜光塗料）を適用することができる。蓄光塗料は、既存のものでよく、吸収する光エネルギーが強ければ強いほど、より明るく、長時間発光を続ける。貯蓄塗料として、例えばアルミナ系酸化物には有害物質が含まれておらず、極めて安全な材料であり、耐候性や耐熱性に対して安定する。
【００３０】
発光手段４６とは、例えば、紫外線に刺激された蛍光を発する蛍光塗料を適用することができる。蛍光塗料は、既存のものでよく、蛍光顔料を配合した塗料であり、例えば、バリウム、ストロンチウム、亜鉛などの硫化物の蛍光顔料に、展色料、可塑剤、分散剤を混合したものである。
【００３１】
また、傘生地部２４の外側面又は／及び内側面には、自ら発光する光ファイバーシート等の自発光手段（図示省略）を併せて設け、スイッチ部４２のＯＮ−ＯＦＦの操作により、光ファイバーシートの発光を制御してもよい。これにより、光ファイバーシートが発光補助として機能するため、発光量を高めることができる。自発光手段は、バッテリー部４０及びスイッチ部４２に対して電気的に接続されている。
【００３２】
また、図２に示すように、傘生地部２４の少なくとも内側面又は外側面には、所定のデザイン・柄Ｇがプリントされている構成を採用してもよい。所定のデザイン・柄Ｇは、傘生地部２４の内側面の全領域にわたって形成されていてもよいし、内側面の一部に領域にのみ形成されていてもよい。また、所定のデザイン・柄Ｇは、傘生地部２４の外側面の全領域にわたって形成されていてもよいし、外側面の一部に領域にのみ形成されていてもよい。所定のデザイン・柄Ｇとは、例えば、アニメのキャラクタ等が該当する。所定のデザイン・柄Ｇは、上記したように、光を受けて蓄光・発光する蓄光手段４４又は光を受けて発光する発光手段４６によって構成されている。これにより、傘１０のデザイン・柄Ｇが紫外線に反応して浮き上がるようにして発光し、意匠性・斬新性を高めることができ、ひいては日本のアニメ文化を促進することもできる。
【００３３】
なお、中棒部３０、親骨部２０及び受骨部２２のいずれか又は全部に、蓄光手段４４、発光手段４６、あるいは自発光手段の少なくともいずれかを設けてもよい。この場合、中棒部３０、親骨部２０及び受骨部２２のいずれか又は全部を透明の材質で構成することが好ましい。これにより、中棒部３０、親骨部２０及び受骨部２２のいずれか又は全部を発光させることができ、傘１０全体の発光量が向上する。
【００３４】
だぼ部２６は、親骨部２０と受骨部２２とを接合する部品である。だぼ部２６は、ハトメと称される部品で構成されている。
【００３５】
露先部２８は、傘生地部２４の先端部と親骨部２０の先端部とを結合する部品である。
【００３６】
中棒部３０は、傘１０の中心に位置する棒である。中棒部３０は、シャフト又は芯棒とも呼ばれる。中棒部３０の素材は、鉄、アルミ、木、グラスファイバー、カーボンで構成されている。
【００３７】
手元部３２は、中棒部３０の端部に接続したハンドルである。手元部３２は、中棒部３０に対して着脱自在となるように構成してもよい。
【００３８】
上はじき部３４は、開傘時に開傘状態を保持するために下ろくろ部１６を下側から固定する部品である。
【００３９】
下はじき部３６は、閉傘時に閉傘状態を保持し無駄に開傘しないようにするために中棒部３０の下部の手元部近傍に設けられた部品である。
【００４０】
発光源３８は、例えば、複数又は単数のＬＥＤ、電球及びブラックライト（例えば、ブラックライトの一例としてブラックライトＬＥＤ）等が用いられる。発光源３８として、複数の発光色を実現可能な光源を用いてもよい。発光源３８は、バッテリー部４０及びスイッチ部４２に対して電気的に接続されている。
【００４１】
発光源３８としてＬＥＤを例にあげると、ＬＥＤチップに使われる化合物にＧａ（ガリウム）、Ｎ（窒素）、
Ｉｎ（インジウム）、Ａｌ（アルミニウム）、Ｐ（リン）などを用いることにより、放出される光の波長を異ならせることができる。
【００４２】
光の波長は、４５０ｎｍ前後が青色、５２０ｎｍ前後が緑色、６６０ｎｍ前後が赤色に見えるが、これらの波長の違いによりＬＥＤの発光色を決定する。
【００４３】
なお、白色光は２色以上の光を混ぜて白色に見せる手法をとるが、補色を混色するより、赤、青、緑の３原色を混色したほうが、より自然な白色を実現することができる。
【００４４】
ブラックライトとは、わずかに眼で見える長波長の紫外線を放射するライトである。ブラックライトの光自体は人間の目にほとんど見えないが、ブラックライトの光を照射した物体はその中に含まれる蛍光体（蓄光体）だけが発光する。
【００４５】
図１乃至図３では、発光源３８としてブラックライトを採用した構成を示す。
【００４６】
発光源３８としてブラックライトを採用する構成では、ブラックライトから放射される紫外線が傘１０の使用者に照射することを防止するための紫外線照射防止部４８を設けることが好ましい。これにより、人体に対する放射線の照射を抑制できる。なお、紫外線照射防止部４８の一例として、ＵＶカットプラスチック、ＵＶカットフィルムあるいはＵＶカットガラスフィルム、その他ＵＶをカットすることができる素材一般等が適用できる。
【００４７】
なお、蛍光管を使うブラックライトは、使用される蛍光体が異なる以外は通常の蛍光灯と同じように製造される。また、通常の蛍光灯では蛍光管のガラスは白色だが、ブラックライトでは必要に応じてウッドのガラスと呼ばれる深い青紫のガラスを用いて波長４００ｎｍ以上の可視光線をカットする。蛍光物質にはユウロピウムをドープさせたフッ化ホウ素酸ストロンチウム (SrB4O7F:Eu2+、ピーク波長は368-371nm)か、鉛をドープさせたケイ化バリウム (BaSi2O5:Pb+、ピーク波長350-353nm)が用いられる。ウッドのガラスを用いたブラックライトの場合、ピーク波長は365nmになる。また、単純に白熱電球のバルブにウッドのガラスを用いただけでも簡易ブラックライトになる。
【００４８】
発光源３８は、例えば、中棒部３０の軸上又は軸回りに取り付けられている。詳細には、発光源３８は、中棒部３０の軸上又は軸回りであって親骨部２０が開いたときに傘生地部２４に覆われて外部から隠れる部位（傘生地部２４の内側）に位置することが好ましい。これにより、発光源３８からの光を傘生地部２４の内側に効率良く照射することができ、傘生地部２４での発光効率及び発光度を高めることができる。
【００４９】
発光源３８は、中棒部３０の軸上又は軸回りに設けられている構成に限られることはなく、受骨部２２、石突部１２、露先部２８等に設けられている構成でもよい。
【００５０】
なお、発光源３８は、所定の取付台（図示省略）を介して中棒部３０の軸上又は軸回りに取り付ける構成でもよい。
【００５１】
ここで、図３に示すように、発光源３８の取付台として下ろくろ部１６を利用してもよい。下ろくろ部１６の周囲の側面に発光源３８を連続して設けることが好ましい。発光源３８としてブラックライトを採用する場合には、下ろくろ部１６の下側に紫外線照射防止部４８を設けることが好ましい。下ろくろ部１６に発光源３８を設けることにより、既存の部品を発光源３８の取付台として利用することができ、部品点数の増加を防止できる。
【００５２】
バッテリー部４０は、電池と端子とで構成された電源部である。バッテリー部４０は、中棒部３０の内部の一部に中空部を形成し当該中空部に設けてもよいし、手元部３２の内部の一部に中空部を形成し当該中空部に設けてもよい。手元部３２にバッテリー部４０が収容されている構成では、例えば、手元部３２を中棒部３０から取り外して屋内で充電することができるように設定することができる。
【００５３】
バッテリー部４０は、充電池を備えた充電タイプのもので構成してもよい。この場合、中棒部３０又は手元部３２に充電端子部（図示しない）を形成し、外部の電源（コンセント）から充電コード等の配線を充電端子に接続して充電池に充電できるようにしてもよい。なお、外部の電源（コンセント）から充電コード等の配線を介することなく、充電池に充電できるワイヤレス充電タイプのものを使用してもよい。
【００５４】
バッテリー部４０は、非接触電力転送技術を利用して電力を供給できるタイプのもの、あるいは非接触電力転送技術を利用して蓄電池を充電するタイプのものを使用してもよい。
【００５５】
スイッチ部４２は、例えば、ＯＮ又はＯＦＦの操作により、発光源３８を発光させるタイプのものである。
【００５６】
なお、図５に示すように、バッテリー部４０及びスイッチ部４２のいずれか一方あるいは両方が、手元部３２側に設けられている構成でもよい。この場合、例えば、手元部３２が中棒部３０に対して着脱自在に設けられており、手元部３２の内部にバッテリー部４０が収容され、手元部３２の外部（側面部）にスイッチ部４２が設けられている構成が一例として採用される。このように、バッテリー部４０が手元部３２の内部に隠れ、スイッチ部４２が指で届く部位に設けられている構成では、バッテリー部４０を外力から保護して破損を防止することができるとともに、スイッチ部４２を容易に操作することができる。
【００５７】
図５では、バッテリー部４０は電源部３８等の各部位に電力を供給するための配線４３が接続されている。
【００５８】
図５に示す態様を採用することにより、手元部３２をプラスチック成形により容易に製造することができる。また、手元部３２側にバッテリー部４０及びスイッチ部４２を備えたことにより、バッテリー部４０及びスイッチ部４２に関するトラブルが生じた場合でも、手元部３２を新しいものに替えることにより、メンテナンスが容易になる。また、手元部３２を中棒部３０から取り外すことにより、バッテリー部４０に対する充電作業が容易になる。
【００５９】
図４に示すように、スイッチ部４２には、制御部５０が設けられている。制御部５０は、ＯＮ又はＯＦＦの操作に基づいて発光源３８の発光を制御するものである。制御部５０は、少なくとも、ＣＰＵ５０Ａと、ＲＯＭ５０Ｂと、を有している。
【００６０】
ＣＰＵ５０Ａは、スイッチ部４２のＯＮ−ＯＦＦの操作及びＲＯＭ５０Ｂに記憶された発光プログラムに基づいて発光源３８の発光を制御する。
【００６１】
ＲＯＭ５０Ｂには、発光源３８の発光を実現するための発光プログラムが記憶されている。発光プログラムには、発光の種類（例えば、点灯、点滅、発光色等）と発光の間隔（タイミング）との関係を特定した複数の発光バリエーションに関する複数のテーブルを含んでいる。これにより、光源部３８の発光バリエーションを持たせることができ、視覚性やファッション性を高めることができる。
【００６２】
なお、制御部５０に傘の位置情報を取得するためのＧＰＳ部５０Ｃを装備し、傘１０の位置情報を無線で発信可能な無線発信部５０Ｄを備えてもよい。この場合、傘１０の位置情報は、パソコン、スマートフォン、携帯電話等の通信機器（図示省略）に対して無線発信可能に構成することが好ましい。これにより、傘１０をどこかで忘れた場合でも、傘１０の位置情報を入手することができるため、傘１０の追跡及び回収が可能になる。
【００６３】
本実施形態によれば、発光源３８が発光することにより、傘生地部２４に設けられた蓄光手段４４あるいは発光手段４６が発光する。これにより、夜間においても、傘生地部２４の全体が暗闇で発光して浮かび上がる。この結果、傘自体が街全体のイルミネーションの一部になり、街を彩り溢れた景色として演出することができる。また、傘１０をさしている使用者にとってもファッション感覚で発光演出を楽しむことができる。さらに、発光する傘１０を持っていると、雨天時の夜に歩行者の存在を周知に知らせることができるため、交通事故等を抑制することができる。
【００６４】
発光源３８は、傘１０が開いたときに傘生地部２４に覆われている部位に位置しているため、発光源３８の光の大部分が傘生地部２４の内側面に対して照射される。これにより、傘生地部２４の発光効率を高めることができ、傘生地部２４を一層明るく発光させることができる。
【００６５】
特に、発光源３８が下ろくろ部１６に設けられていることにより、傘の既存の構成要素である下ろくろ部１６を発光源３８の取付台として利用することができる。これにより、発光源３８を取り付けるための機構を別途設ける必要が無くなり、部品点数が増加することを防止することができる。また、傘１０を閉じたときに、発光源３８が、閉ようとする傘生地部２４に干渉することがなく、傘１０の閉動作を円滑に行うことができる。
【００６６】
発光源３８が紫外線を放射するブラックライトであることにより、傘生地部２４における発光度を高めることができる。
【００６７】
そして、発光源３８としてブラックライトを採用した構成では、ブラックライトからの紫外線が人体に照射しないための紫外線照射防止部４８を別途設けることにより、人体への紫外線の影響を小さくすることができる。
【符号の説明】
【００６８】
１０    傘
１２    石突部
１４    上ろくろ部
１６    下ろくろ部
１８    止めびょう部
２０    親骨部
２２    受骨部
２４    傘生地部
２６    だぼ部
２８    露先部
３０    中棒部
３２    手元部
３４    上はじき部
３６    下はじき部
３８    発光源
４０    バッテリー部
４２    スイッチ部
４４    蓄光手段
４６    発光手段
４８    紫外線照射防止部
５０    制御部
５０Ａ  ＣＰＵ  
５０Ｂ  ＲＯＭ
５０Ｃ  ＧＰＳ部
５０Ｄ  無線発信部（発信部）
【図１】
2014213136.tif 000003
【図２】
2014213136.tif 000004
【図３】
2014213136.tif 000005
【図４】
2014213136.tif 000006
【図５】
2014213136.tif 000007
【手続補正書】
【提出日】平成25年6月29日(2013.6.29)
【手続補正１】
【補正対象書類名】特許請求の範囲
【補正対象項目名】全文
【補正方法】変更
【補正の内容】
【特許請求の範囲】
【請求項１】
中棒部と、
前記中棒部に対して開閉可能な複数の親骨部と、
前記親骨部にまたがって設けられる傘生地部と、
前記傘生地部に対して設けられ光を受けて発光する発光手段又は蓄光手段と、
前記中棒部の軸上近傍に設けられる発光源と、
前記親骨部を接続する受骨部と、
前記中棒部の軸上を移動可能に構成され前記受骨部を束ねる下ろくろ部と、
を含む傘であって、
前記発光源は、前記親骨部が開いたときに前記傘生地部に覆われる部位に位置するとともに、前記下ろくろ部に設けられ、紫外線を放射するブラックライトで構成されたことを特徴とする傘。
【請求項２】
傘の位置情報を発信可能な発信部を設けたことを特徴とする請求項１に記載の傘。
【請求項３】
前記ブラックライトからの紫外線が人体に照射しないための紫外線照射防止部を設けたことを特徴とする請求項１又は２に記載の傘。
【手続補正書】
【提出日】平成25年7月19日(2013.7.19)
【手続補正１】
【補正対象書類名】特許請求の範囲
【補正対象項目名】全文
【補正方法】変更
【補正の内容】
【特許請求の範囲】
【請求項１】
中棒部と、
前記中棒部に対して開閉可能な複数の親骨部と、
前記親骨部にまたがって設けられる傘生地部と、
前記傘生地部に対して設けられ光を受けて発光する発光手段又は蓄光手段と、
前記中棒部の軸上近傍に設けられる発光源と、
前記親骨部を接続する受骨部と、
前記中棒部の軸上を移動可能に構成され前記受骨部を束ねる下ろくろ部と、
を含む傘であって、
前記発光源は、前記親骨部が開いたときに前記傘生地部に覆われる部位に位置する前記下ろくろ部に設けられる、紫外線を放射するブラックライトで構成されたことを特徴とする傘。
【請求項２】
傘の位置情報を発信可能な発信部を設けたことを特徴とする請求項１に記載の傘。
【請求項３】
前記ブラックライトからの紫外線が人体に照射しないための紫外線照射防止部を設けたことを特徴とする請求項１又は２に記載の傘。